(57)【要約】【課題】従来、移動体用デジタル放送受信装置において受信不可となった場合には系列局をサーチし、受信可能な系列局を見つけて選局していたが、全ての系列局で同じ番組を放送している保証はなく、ユーザが好まない番組に切換ってしまうことがあるという課題があった。【解決手段】放送信号を受信する受信手段と、受信した放送信号の受信状況を判定する判定手段と、受信した放送信号を再生する再生手段と、ユーザの操作情報及び／または視聴情報を蓄積する蓄積手段と、蓄積された操作情報及び／または視聴情報からお薦め条件を算出する算出手段と、判定手段が受信状況が劣化したと判定した場合に、受信手段にお薦め条件に合致する放送信号を受信させ、受信された放送信号を再生手段に再生させる制御手段と、を有することを特徴とする。【選択図】図１
2010263455.tif 000002
【特許請求の範囲】
【請求項１】
放送信号を受信する受信手段と、
受信した前記放送信号の受信状況を判定する判定手段と、
受信した前記放送信号を再生する再生手段と、
ユーザの操作情報及び／または視聴情報を蓄積する蓄積手段と、
蓄積された前記操作情報及び／または視聴情報からお薦め条件を算出する算出手段と、
前記判定手段が受信状況が劣化したと判定した場合に、前記受信手段にお薦め条件に合致する放送信号を受信させ、受信された放送信号を前記再生手段に再生させる制御手段と、を有することを特徴とする移動体用デジタル放送受信装置。
【請求項２】
音声データを作成して前記再生手段に出力する音声合成手段を更に備え、
前記制御手段は、前記判定手段が受信状況が劣化したと判定した場合に、前記音声合成手段に音声案内または報知音を作成させることを特徴とする請求項１記載移動体用デジタル放送受信装置。
【請求項３】
チャンネルリスト情報を記憶する記憶手段と、
チャンネルサーチ処理を実行するチャンネルサーチ手段と、を更に備え、
前記制御手段は、前記判定手段が受信状況が劣化したと判定した場合に、前記チャンネルサーチ手段に前記記憶手段が記憶した前記チャンネルリスト情報に基づいてチャンネルサーチ処理を実行させるとともに、お薦め条件に合致する放送信号の受信状況を前記判定手段に判定させ、前記放送信号のうち受信可能な放送信号のみを前記受信手段に継続受信させることを特徴とする請求項１記載の移動体用デジタル放送受信装置。
【発明の詳細な説明】
【技術分野】
【０００１】
本発明は、視聴中放送局が受信状況の変化などにより受信不可となった場合にユーザのお薦めの番組を放送している放送局を選局する機能を有する移動体用デジタル放送受信装置に関するものである。
【背景技術】
【０００２】
従来、移動体用デジタル放送受信装置において視聴中放送局が受信不可となった場合には系列局をサーチし、受信可能な系列局が見つかった場合にはその系列局を選局することにより継続視聴を可能とするデジタル放送システムがある（例えば、特許文献１参照）。
【先行技術文献】
【特許文献】
【０００３】
【特許文献１】特開２００４−１４０６９０号公報
【発明の概要】
【発明が解決しようとする課題】
【０００４】
しかしながら、全ての系列局で同じ番組を放送している保証はなく、上記従来のデジタル放送システムにおいて受信可能な系列局を選局した結果、ユーザが好まない別の番組に切換ってしまうことがあるという課題があった。
【課題を解決するための手段】
【０００５】
本発明の移動体用デジタル放送受信装置は、放送信号を受信する受信手段と、受信した放送信号の受信状況を判定する判定手段と、受信した放送信号を再生する再生手段と、ユーザの操作情報及び／または視聴情報を蓄積する蓄積手段と、蓄積された操作情報及び／または視聴情報からお薦め条件を算出する算出手段と、判定手段が受信状況が劣化したと判定した場合に、受信手段にお薦め条件に合致する放送信号を受信させ、受信された放送信号を再生手段に再生させる制御手段と、を有することを特徴とする。
【発明の効果】
【０００６】
本発明は、受信状況が劣化した場合に、ユーザの操作情報及び／または視聴情報に基づいてお薦めの番組に切り替えることにより、ユーザの嗜好に合致した番組に切り替えることができる。
【図面の簡単な説明】
【０００７】
【図１】本発明の実施の形態１に係る移動体用デジタル放送受信装置の構成を示すブロック図
【図２】同実施の形態１に係る確認画面を示す図
【図３】同実施の形態１に係る確認画面を示す図
【図４】同実施の形態１に係る確認画面を示す図
【図５】本発明の実施の形態２に係る移動体用デジタル放送受信装置の構成を示すブロック図
【図６】本発明の実施の形態３に係る移動体用デジタル放送受信装置の構成を示すブロック図
【図７】同実施の形態３に係る受信可能な放送局が見つからなかった場合の画面を示す図
【発明を実施するための形態】
【０００８】
（実施の形態１）
本発明の移動体用デジタル放送受信装置の第１の実施の形態について説明する。図１は、本発明の実施の形態１に係る移動体用デジタル放送受信装置の構成を示すブロック図である。図１において１はアンテナを通して放送信号を受信する受信手段、２は受信した放送信号の受信状況を判定する判定手段、３は受信した放送信号を再生する再生手段、４はユーザの操作情報と視聴情報を蓄積する蓄積手段、５は蓄積された操作情報と視聴情報からお薦め条件を算出する算出手段、６は判定手段２が受信状況が劣化したと判定した場合にお薦め条件に合致する放送信号を受信手段１に受信させ、受信させた放送信号を再生手段３に再生させる制御手段である。また、７は制御手段６からの要求によってＯＳＤデータを作成するＯＳＤ表示制御手段、８はＯＳＤ表示制御手段７から出力されたＯＳＤデータと再生手段３から出力された再生映像とを合成出力するＡＶ出力手段、９はリモコン等の入力装置を介してユーザ要求を入力する操作入力手段、１０はユーザの操作情報と視聴情報を蓄積するデータベースである履歴ＤＢ、１１は選局可能なチャンネルリストを記憶するチャンネルリストＤＢ、１２は番組情報を蓄積する番組情報ＤＢである。
【０００９】
通常の視聴状態では、制御手段６は操作入力手段９によりユーザがチャンネルリストから指定した放送局の放送信号を受信手段１に受信させ、受信させた放送信号を再生手段３に再生させる。受信手段１は受信した番組情報を放送局ごとに番組情報ＤＢ１２に蓄積させる。番組情報は現在放送中の番組だけでなく未来の番組の番組情報も受信および蓄積が可能である。
【００１０】
このとき制御手段６は放送局名や番組情報などを表示するようＯＳＤ表示制御手段７を制御し、ＯＳＤ表示制御手段７から出力されるＯＳＤ映像が放送信号の再生映像に重畳されてＡＶ出力手段８を介して外部に出力される。また再生音声もＡＶ出力手段８によって同時に外部に出力される。
【００１１】
また制御手段６は、蓄積手段４によって視聴した番組の番組情報と操作情報を履歴ＤＢ１０に蓄積させる。
【００１２】
視聴中の放送局が受信状況の変化により受信不可となると、判定手段２は受信状況が劣化した判定する。このとき制御手段６は算出手段５によってユーザの操作情報と視聴情報からお薦め条件を算出し、現在放送されている番組の番組情報のうち最もお薦め条件に合致する放送信号を受信手段１に受信させ、受信させた放送信号を再生手段３に再生させる。また制御手段６はお薦めの番組を放送中の放送局に切換えたことを表示するようＯＳＤ表示制御手段７を制御し、放送信号の再生映像に重畳して外部に出力する。
【００１３】
なお、本実施の形態１ではお薦め条件に合致する放送信号の受信可否に関わらず受信手段１に受信させるよう処理しているが、お薦め条件に合致する放送信号が受信可能と判断できた場合のみ、上記処理を実行させてもよい。
【００１４】
また、お薦め条件に合致する放送信号を受信手段１に受信させる処理を実行する前に、図２に示すようなユーザの確認を促す表示を行い、ユーザの同意があったときのみ上記処理を実行させてもよい。このとき、お薦め条件に合致する放送信号が複数ある場合には図３に示すようにリスト表示とすることも可能である。
【００１５】
また、図４に示すように視聴中の番組とお薦め条件に合致する放送信号の番組の２つの映像を２画面表示してもよい。このときそれぞれの画面に受信状況を示す受信レベルを表示することも可能である。
【００１６】
また、受信手段１を複数のチューナデバイスで実現するなどにより、複数の放送信号を同時受信できるようにし、制御手段６が薦め条件に合致する放送信号を受信手段１に受信させ、受信させた放送信号を再生手段３に再生させた場合に、最初に視聴していた放送信号も同時に受信し、受信状況を判定しつづけ、受信可能な状態に復帰した場合には、最初に視聴していた放送信号を再び、再生手段３に再生させるようにしてもよい。
【００１７】
（実施の形態２）
本発明の移動体用デジタル放送受信装置の第２の実施の形態について説明する。図５は、本発明の実施の形態２に係る移動体用デジタル放送受信装置の構成を示すブロック図である。図５において、図１と同符号を付したものは同機能を有するため説明を省略する。
【００１８】
１３は判定手段２が受信状況が劣化したと判定した場合に、お薦め条件に合致する放送信号を受信手段１に受信させるようユーザに促す音声データを音声合成手段１４に合成させる制御手段である。１４は、制御手段１３からの要求によって音声データを作成する音声合成手段である。
【００１９】
通常の視聴状態では、実施の形態１と同じ動作を行う。視聴中の放送局が受信状況の変化により受信不可となると、判定手段２は受信状況が劣化した判定する。このとき制御手段１３は算出手段５によってユーザの操作情報と視聴情報からお薦め条件を算出し、現在放送されている番組の番組情報のうち最もお薦め条件に合致する放送信号を検索し、音声合成手段１４によって検索された放送信号に切換えるようユーザに促す音声データを合成する。合成する音声データの例として「現在受信できません。お薦めの番組があります。５ｃｈ△△放送、野球中継です。決定キーで切換えます」等が考えられる。
【００２０】
合成された音声データはＡＶ出力手段８によって放送信号の再生音声に重畳されて外部に出力される。
【００２１】
ユーザがお薦め番組への切換え操作を行うと、制御手段１３はお薦め条件に合致する放送信号を受信手段１に受信させ、受信させた放送信号を再生手段３に再生させる。また制御手段１３はお薦めの番組を放送中の放送局に切換えたことを表示するようＯＳＤ表示制御手段７を制御し、ＯＳＤデータは放送信号の再生映像に重畳されて外部に出力される。
【００２２】
なお、本実施の形態２ではユーザの操作によりお薦めの放送信号に切換えているが、ユーザの操作がなくとも自動的にお薦めの放送信号に切換え、切換えた旨を音声案内してもよい。
【００２３】
（実施の形態３）
本発明の移動体用デジタル放送受信装置の第３の実施の形態について説明する。図６において、図１、図５と同符号を付したものは同機能を有するため説明を省略する。
【００２４】
１５は判定手段２が受信状況が劣化したと判定した場合に、チャンネルサーチ手段１６にチャンネルサーチ処理を実行させて受信可能な放送局を判断し、この放送局の放送信号のうちお薦め条件に合致する放送信号を受信手段１に受信させ、受信させた放送信号を再生手段３に再生させる制御手段である。
【００２５】
１６は、制御手段１５からのチャンネルサーチ要求に応じて、チャンネルサーチ処理を実行するチャンネルサーチ手段である。
【００２６】
視聴中の放送局が受信状況の変化により受信不可となると、判定手段２は受信状況が劣化したと判定する。このとき制御手段１５はチャンネルサーチ手段１６にチャンネルサーチ要求を出力して、チャンネルサーチ処理を実行させる。チャンネルサーチ処理では、チャンネルリストＤＢ１１に登録されている放送局の周波数帯域を順次、受信手段１に受信させる。制御手段１５は、それぞれの受信状況を判定手段２によって判定することにより、受信可能な放送局を得る。そして、算出手段５によってユーザの操作情報と視聴情報からお薦め条件を算出し、現在放送されていて受信可能な放送局の番組の番組情報のうち最もお薦め条件に合致する放送信号を受信手段１に受信させ、受信させた放送信号を再生手段３に再生させる。また制御手段１５はお薦めの番組を放送中の放送局に切換えたことを表示するようＯＳＤ表示制御手段７を制御し、放送信号の再生映像に重畳させて外部に出力する。
【００２７】
なお、視聴中の放送局が受信状況の変化により受信不可となったときに、チャンネルサーチ処理を実行した結果、受信可能な放送局が見つからなかった場合、図７のように視聴履歴やお薦め条件を表示することも可能である。
【産業上の利用可能性】
【００２８】
本発明は車載用デジタルテレビや携帯用デジタルテレビなど、移動しながら視聴するデジタル放送受信装置に利用可能である。
【符号の説明】
【００２９】
１    受信手段
２    判定手段
３    再生手段
４    蓄積手段
５    算出手段
６、１３、１５    制御手段
７    ＯＳＤ表示制御手段
８    ＡＶ出力手段
９    操作入力手段
１０    履歴ＤＢ
１１    チャンネルリストＤＢ
１２    番組情報ＤＢ
１４    音声合成手段
１６    チャンネルサーチ手段
【図１】
2010263455.tif 000003
【図２】
2010263455.tif 000004
【図３】
2010263455.tif 000005
【図４】
2010263455.tif 000006
【図５】
2010263455.tif 000007
【図６】
2010263455.tif 000008
【図７】
2010263455.tif 000009